(57)【要約】【課題】各種電子機器に使用される開閉装置に関し、簡易な構成で、多様な開閉操作が可能なものを提供することを目的とする。【解決手段】固定カム１２に可動体１３の可動カム１４が弾接した固定体１１側方に、可動軸１８に軸線方向へ移動可能に保持された複数の可動板２２を設けると共に、この複数の可動板２２を複数の固定板２１に弾接させることによって、可動軸１８や可動カム１４の開閉操作が緩やかに行われるため、一つの開閉装置という簡易な構成で、多様な開閉操作が可能な開閉装置を得ることができる。【選択図】図１
2009281522.tif 000002
【特許請求の範囲】
【請求項１】
固定カムが形成された固定体と、この固定カムに可動カムが弾接した可動体と、これらを収納した略円筒状の固定ケースと、この固定ケース内を回転可能に挿通し、略中間部に上記可動体を軸線方向へ移動可能に保持した可動軸からなり、上記固定体側方に上記可動軸に軸線方向へ移動可能に保持された複数の可動板を設けると共に、この複数の可動板を複数の固定板に弾接させた開閉装置。
【請求項２】
可動軸が所定角度回転した後に、これに連動して可動板が回転する請求項１記載の開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の高機能化や軽量化が進むなか、固定筐体に対し可動筐体が開閉可能に装着された、所謂、折畳み式のものが増えており、これらに用いられる開閉装置においても、確実でより多様な開閉操作が行えるものが求められている。
【０００３】
このような従来の開閉装置について、携帯電話を例として図７を用いて説明する。
【０００４】
図７は従来の携帯電話の斜視図であり、同図において、１は略箱型で合成樹脂製の固定筐体で、この上面には複数のキーが配列された操作部１Ａや、マイクロフォン等の音声入力部１Ｂが形成されている。
【０００５】
また、２は同じく合成樹脂製の可動筐体で、前面に液晶表示素子等の表示部２Ａやスピーカ等の音声出力部２Ｂが形成されると共に、この可動筐体２が下端を支点として固定筐体１上端に開閉可能に装着されている。
【０００６】
そして、３は複数のカムやばね（図示せず）等から形成された開閉装置で、固定筐体１と可動筐体２の間に装着され、この開閉装置３によって、可動筐体２が固定筐体１に対し、所定角度以下では閉方向へ、所定角度以上では開方向へ付勢されるように形成されている。
【０００７】
さらに、４はダンパー装置で、固定筐体１と可動筐体２の間に装着され、内蔵されたオイルやゴム（図示せず）等の粘性によって、可動筐体２の開閉操作に抵抗を与え、開閉操作が緩やかなものとなるようにして、電子機器が構成されている。
【０００８】
以上の構成において、例えば可動筐体２が閉じた状態から、固定筐体１側面の押釦（図示せず）等を押圧操作すると、開閉装置３のカムやばね等が動作して、可動筐体２に開く方向の力が加わり、可動筐体２が開方向へ付勢されて開操作が行われ、１６０度程開いた状態で保持される。
【０００９】
なお、この時、可動筐体２にはダンパー装置４によって、開方向への抵抗が加わるため、この抵抗力によって開閉装置３の開方向への付勢力は減衰され、可動筐体２の開操作は緩やかに行われるようになっている。
【００１０】
また、この開状態から可動筐体２を手で閉じた場合には、所定角度まで閉じると、開閉装置３のカムやばね等の動作によって、可動筐体２に閉方向への力が加わり、可動筐体２が閉じた状態で保持される。
【００１１】
そして、この閉操作の際にも、ダンパー装置４によって可動筐体２に閉方向への抵抗が加わり、可動筐体２の閉操作は緩やかに行われる。
【００１２】
つまり、開閉装置３によって可動筐体２を開または閉方向へ付勢して、固定筐体１に対する可動筐体２の開閉操作を行うと共に、ダンパー装置４によって可動筐体２へ常に一定の抵抗を与え、可動筐体２の衝撃のない緩やかな開閉操作が行われるように構成されているものであった。
【００１３】
なお、この出願の発明に関連する先行技術文献情報としては、例えば、特許文献１が知られている。
【特許文献１】特開２００４−３４０２０９号公報
【発明の開示】
【発明が解決しようとする課題】
【００１４】
しかしながら、上記従来の開閉装置においては、可動筐体２の衝撃のない緩やかな開閉操作を行うには、開閉装置３に加えダンパー装置４をも電子機器に装着する必要があるため、機器の構成が複雑になると共に、使用部品数も増え高価なものになってしまうという課題があった。
【００１５】
本発明は、このような従来の課題を解決するものであり、簡易な構成で多様な開閉操作が可能な開閉装置を提供することを目的とする。
【課題を解決するための手段】
【００１６】
上記目的を達成するために本発明は、以下の構成を有するものである。
【００１７】
本発明の請求項１に記載の発明は、固定カムに可動体の可動カムが弾接した固定体側方に、可動軸に軸線方向へ移動可能に保持された複数の可動板を設けると共に、この複数の可動板を複数の固定板に弾接させて開閉装置を構成したものであり、固定板に弾接した可動板によって、可動軸や可動カムの開閉操作が緩やかに行われるため、一つの開閉装置という簡易な構成で、多様な開閉操作が可能な開閉装置を得ることができるという作用を有する。
【００１８】
請求項２に記載の発明は、請求項１記載の発明において、可動軸が所定角度回転した後に、これに連動して可動板が回転するものであり、例えば、所定角度までは速やかに開いたり、閉じる直前には速やかに閉じたりするといった、多様な開閉操作を行うことが可能となるという作用を有する。
【発明の効果】
【００１９】
以上のように本発明によれば、簡易な構成で、多様な開閉操作が可能な開閉装置を実現することができるという有利な効果が得られる。
【発明を実施するための最良の形態】
【００２０】
以下、本発明の実施の形態について、主に携帯電話を例として図１〜図６を用いて説明する。
【００２１】
なお、これらの図面のうち、断面図等は固定カムと可動カムの関係を判り易くするため、径方向を拡大して表わしている。
【００２２】
また、背景技術の項で説明した構成と同一構成の部分には同一符号を付して、詳細な説明を簡略化する。
【００２３】
（実施の形態）
図１は本発明の一実施の形態による開閉装置の断面図、図２は同分解斜視図であり、同図において、１１は略円筒状で鋼や銅合金、焼結合金、或いは合成樹脂製の固定体で、この右端面外周には、突出部１２Ａ、及びこの突出部１２Ａから上下へ延出する二つの傾斜部１２Ｂ、１２Ｃから形成された、一対の固定カム１２が設けられている。
【００２４】
そして、１３は同じく略円筒状で鋼や銅合金、焼結合金、或いは合成樹脂製の可動体で、固定体１１に対し開閉方向へ回転可能に、かつ軸線方向へ移動可能に配置されると共に、固定カム１２との対向面である左端面外周には一対の可動カム１４が設けられている。
【００２５】
また、１５は略円筒状で鋼や銅合金、合成樹脂製の固定ケース、１６は固定カバーで、固定ケース１５右端の開口部を固定カバー１６が覆うと共に、この固定ケース１５内に固定体１１が軸線方向へ移動可能に収納されている。
【００２６】
さらに、１７はコイル状で銅合金や鋼線製のばねで、可動体１３右端面と固定カバー１６左端面の間にやや撓んだ状態で装着され、このばね１７によって可動体１３が左方向へ付勢されて、可動カム１４の先端が固定カム１２の傾斜部１２Ｂへ弾接している。
【００２７】
また、１８は略円柱状で鋼や銅合金、合成樹脂製の可動軸で、この可動軸１８の略中間部に可動体１３が軸線方向へ移動可能に保持されると共に、固定カバー１６やばね１７、固定体１１の中空部を挿通した可動軸１８の左端部は、止め輪１９によって固定ケース１５外側面に回転可能に装着されている。
【００２８】
そして、２０は略リング状で鋼や銅合金、合成樹脂製のスペーサ、２１は同じく略八角形状の固定板で、スペーサ２０が可動軸１８に保持されると共に、図３の断面図に示すように、複数の固定板２１の外周が固定ケース１５内周に当接し、中央の貫通孔２１Ａには可動軸１８が回転可能に挿通している。
【００２９】
さらに、２２は略円板状で鋼や銅合金、合成樹脂製の可動板で、複数の例えば３枚ずつの固定板２１と可動板２２が、固定体１１側方に軸線方向へ移動可能に交互に配置されると共に、コイル状のばね２３がやや撓んだ状態で左端の固定板２１と固定ケース１５内側面の間に装着され、このばね２３によって複数の固定板２１と可動板２２が弾接している。
【００３０】
また、この複数の固定板２１と可動板２２の間には、高粘度のシリコーンやオレフィン系、フッ素系等の潤滑剤（図示せず）が塗布されると共に、図４（ａ）の断面図に示すように、可動軸１８が挿通した複数の可動板２２中央の貫通孔２２Ａには、可動軸１８の一対の突出部１８Ａが当接する一対の突起部２２Ｂや２２Ｃ、２２Ｄが各々異なる角度に形成されて、開閉装置２５が構成されている。
【００３１】
そして、このように構成された開閉装置２５が、例えば、図６の携帯電話の斜視図に示すように、固定ケース１５が上面に複数のキーが配列された操作部１Ａやマイクロフォン等の音声入力部１Ｂが形成された固定筐体１へ、固定ケース１５右端から突出した可動軸１８右端が、表面に液晶表示素子等の表示部２Ａやスピーカ等の音声出力部２Ｂが形成された可動筐体２へ各々固着され、開閉装置２５によって固定筐体１に対して可動筐体２が開閉可能に軸支されて電子機器が構成される。
【００３２】
以上の構成において、図１に示すように、可動カム１４の先端が固定カム１２下側の傾斜部１２Ｂへ弾接した状態では、可動体１３がばね１７によって下方向の閉方向へ付勢されているため、可動軸１８が装着された可動筐体２は、固定筐体１に対して閉じた状態で保持されている。
【００３３】
そして、この閉状態から、可動筐体２を手で開くと、可動筐体２に装着固定された可動軸１８が回転し、可動体１３が固定ケース１５内を右方向へ回転しながら移動して、可動カム１４先端が固定カム１２の突出部１２Ａを超え、上側の傾斜部１２Ｃへ弾接すると、可動体１３や可動軸１８が開方向へ付勢されるため、この力によって可動筐体２に開く方向の力が加わり、可動筐体２が固定筐体１に対して所定角度に開いた状態となる。
【００３４】
また、この時、図４（ａ）に示す閉状態から、例えば図４（ｂ）に示すように、可動軸１８が５０度回転した状態になると、可動軸１８の突出部１８Ａが１枚目の可動板２２の突起部２２Ｂに当接し、これ以降は突出部１８Ａに突起部２２Ｂを押圧された１枚目の可動板２２が、可動軸１８と共に回転する。
【００３５】
そして、この１枚目の可動板２２とこの左右に配置された固定板２１が、ばね２３によって弾接すると共に、これらの可動板２２と固定板２１の間には高粘度の潤滑剤が塗布されているため、可動板２２と可動軸１８には開方向に対する抵抗が発生する。
【００３６】
さらに、図４（ｃ）に示すように、可動軸１８が例えば８０度回転した状態になると、可動軸１８の突出部１８Ａが２枚目の可動板２２の突起部２２Ｃに当接し、図５（ａ）に示すように、１００度回転した状態になると、３枚目の可動板２２の突起部２２Ｄにも当接し、図５（ｂ）に示すように、１６０度回転するまでの間は、３枚の可動板２２による抵抗が可動軸１８や可動筐体２に加わる。
【００３７】
つまり、閉状態から５０度に開くまでの間は、可動板２２と固定板２１による抵抗力は発生せず、殆んど抵抗がなく、速やかに可動筐体２の開操作が行われるが、５０度から８０度の間は１枚の可動板２２による抵抗が、８０度から１００度の間は２枚の可動板２２による抵抗が、１００度から１６０度の間は３枚の可動板２２による抵抗が、各々可動板２２と可動軸１８に加わり、可動筐体２の緩やかな開操作が行われるようになっている。
【００３８】
なお、可動筐体２を閉じる際にも同様に、１００度まで閉じる間は最も抵抗が大きく、１００度、８０度と順次抵抗が小さくなっていき、５０度から閉じるまでの間は抵抗がなく、速やかな閉操作が行われる。
【００３９】
すなわち、固定体１１側方に、可動軸１８に軸線方向へ移動可能に保持された複数の可動板２２を設けると共に、この複数の可動板２２を複数の固定板２１に弾接させることによって、可動軸１８や可動カム１４の開閉操作が緩やかに行われるため、一つの開閉装置という簡易な構成で、多様な開閉操作が可能なように構成されている。
【００４０】
さらに、上記のように、可動軸１８の一対の突出部１８Ａが当接する一対の突起部２２Ｂや２２Ｃ、２２Ｄを各々異なる角度に形成し、可動軸１８が所定角度、例えば５０度や１００度回転した後に、これに連動して複数の可動板２２を回転させることによって、例えば、所定角度までは速やかに開いたり、閉じる直前には速やかに閉じたりするといった、より多様な開閉操作を行うことができるようになっている。
【００４１】
つまり、可動筐体２を開く際には、所定角度までは速やかに、それ以降は緩やかに開操作を行うことで、開ききった時の衝撃によって、機器を手から落下させること等のないようにすると共に、閉じる際には、所定角度までは抵抗感をもって閉操作を行えるように形成されている。
【００４２】
このように本実施の形態によれば、固定カム１２に可動体１３の可動カム１４が弾接した固定体１１側方に、可動軸１８に軸線方向へ移動可能に保持された複数の可動板２２を設けると共に、この複数の可動板２２を複数の固定板２１に弾接させることによって、可動軸１８や可動カム１４の開閉操作が緩やかに行われるため、一つの開閉装置という簡易な構成で、多様な開閉操作が可能な開閉装置を得ることができるものである。
【００４３】
また、可動軸１８が所定角度回転した後に、これに連動して複数の可動板２２を回転させることによって、例えば、所定角度までは速やかに開いたり、閉じる直前には速やかに閉じたりするといった、より多様な開閉操作を行うことができる。
【００４４】
なお、以上の説明では、開閉操作を判り易くするために、各々３枚の可動板２２と固定板２１を弾接させた構成について説明したが、可動板２２や固定板２１を１枚ずつとした構成や、あるいは５枚、６枚とさらに多くの可動板２２と固定板２１を弾接させた構成としても、本発明の実施は可能である。
【産業上の利用可能性】
【００４５】
本発明による開閉装置は、簡易な構成で、多様な開閉操作が可能なものを得ることができ、各種電子機器に使用される開閉装置として有用である。
【図面の簡単な説明】
【００４６】
【図１】本発明の一実施の形態による開閉装置の断面図
【図２】同分解斜視図
【図３】同断面図
【図４】同断面図
【図５】同断面図
【図６】同携帯電話の斜視図
【図７】従来の携帯電話の斜視図
【符号の説明】
【００４７】
１  固定筐体
１Ａ  操作部
１Ｂ  音声入力部
２  可動筐体
２Ａ  表示部
２Ｂ  音声出力部
１１  固定体
１２  固定カム
１２Ａ  突出部
１２Ｂ、１２Ｃ  傾斜部
１３  可動体
１４  可動カム
１５  固定ケース
１６  固定カバー
１７  ばね
１８  可動軸
１８Ａ  突出部
１９  止め輪
２０  スペーサ
２１  固定板
２１Ａ  貫通孔
２２  可動板
２２Ａ  貫通孔
２２Ｂ、２２Ｃ、２２Ｄ  突起部
２３  ばね
２５  開閉装置
【図１】
2009281522.tif 000003
【図２】
2009281522.tif 000004
【図３】
2009281522.tif 000005
【図４】
2009281522.tif 000006
【図５】
2009281522.tif 000007
【図６】
2009281522.tif 000008
【図７】
2009281522.tif 000009